(57)【要約】【課題】ファスナーの留め具及びスライダーにジョイント機能を持たせることで、接合、開放が容易で、且つ一定の強度をもって固定し、安全性が増したファスナーを提供すること。【解決手段】上止め、下止め、スライダーの各部材に接合部を設けることで、今までにない、多様性のある使い方ができるファスナーになる。この接合部による接合は、簡単に脱着可能であり、ファスナー１０を完全に閉じたときに、スライダー１２を確実に固定でき、簡単に引き手１５を引いただけでは、ファスナー１０がオープンしないようになっているので、何らかの事情でうっかりファスナーが開いてしまうことを防止できる。【選択図】図１
2008161543.tif 000002
【特許請求の範囲】
【請求項１】
スライダーと、上止め部と下止め部とからなり、スライダーを上止め部と下止め部間で動かすことにより開閉するクローズタイプのファスナーにおいて、
ファスナーを閉じた際、上止め部のスライダー頭部と接触する面と、前記スライダー頭部の前記止め部と接触する面とに、両者が接触したとき互いに接合する接合部材を各々に設け、接合できることを特徴とする接合機能（ジョイント機能）付きファスナー。
【請求項２】
ひとつのクローズタイプまたはオープンのファスナーに２つのスライダーが設けられているタイプのファスナーにおいて、
２つのスライダーの頭部が互いに接合するための接合部材を各々に設け、接合できることを特徴とする接合機能（ジョイント機能）付きファスナー。
【請求項３】
ひとつのクローズタイプまたはオープンのファスナーに２つのスライダーが設けられているタイプのファスナーにおいて、
上側上向き方向のスライダーと下側下向き方向のスライダー各々が、上止め部と下止め部に接触したとき、閉じた状態となるファスナーであって、
前記上止め部と一方のスライダー頭部と、前記下止め部と他のスライダー頭部が接触する両面に両者が接触したとき互いに接合する接合部材を各々に設け、接合できることを特徴とする接合機能（ジョイント機能）付きファスナー。
【請求項４】
クローズタイプまたはオープンタイプのファスナーにおいて、このファスナーを一周回転させて設置することが可能であり、
当該ファスナーのスライダーを一周させて、スライダー頭部が下止め部の下側にきた際、前記下止め部のスライダー頭部と接触する面と、前記スライダー頭部の前記下止め部の下側と接触する面とに、両者が接触したとき互いに接合する接合部材を各々に設け、接合できることを特徴とする接合機能（ジョイント機能）付きファスナー。
【請求項５】
接合部材が、
オープンタイプとクローズタイプの各々の上止めタイプと下止めタイプに、
前記４タイプの各々の、接合部材の向きが上向きタイプと下向きタイプに、
前記８タイプの各々にオス部またはメス部を設けられた１６タイプがあり、
前記ひとつのファスナーに２つのスライダーが設けられているタイプでは、頭部同士が接触する面の一方にオス部、他方にメス部が設けられるタイプと、各頭部と上止め部および下止め部とが接触する面のスライダー側にオス部、上止め部および下止め部にメス部が設けられている４タイプがあることを特徴とする請求項１、請求項２、請求項３または請求項４記載の接合機能（ジョイント機能）付きファスナー。
【請求項６】
前記接合部材が、互いに接合する面ファスナーからなることを特徴とする請求項１、請求項２、請求項３または請求項４記載の接合機能（ジョイント機能）付きファスナー。
【発明の詳細な説明】
【技術分野】
【０００１】
本発明は、ファスナーのスライダーまたはストッパー（上止め・下止め）に接合部材を設けて、一定の強度で固定することができる接合機能（ジョイント機能）付きファスナーに関する。
【背景技術】
【０００２】
ファスナーは、衣服の前止め、バックや財布の開口部の開け閉めに広く用いられている。図７は、一般的なファスナーの構成を示した図である。この図に示すように、ファスナー１００は、スライ１０２、１対のエレメント（務歯）１０４、テープ１０６、下止め１０８、上止め１１０よりなる。
そして、このファスナー１００は、スライダー１０２に直結した引手１１２と呼ばれる部材を手動で動かすことにより、スライダー１０２を動かし、このスライダー１０２によって、エレメント１０４を湾曲させ、歯車の原理で噛み合わせる。こうして、ファスナー１００が閉じた状態となる。
一方、スライダー１０２を逆方向に動かせば、エレメント１０４の噛み合わせが外れ、ファスナー１００が開いた状態となる。
ファスナーには、図６に示すような止め製品（クローズタイプ）、衣服の前合わせに使用する開製品（オープンタイプ）、２つのスライダーを頭合わせで使用するもの等種々のタイプが提案され、普及している。
ところで、ファスナーは簡単に開け閉めができることが大きな特徴であるが、一方で、例えば、バックの開口部が簡単に開いてしまうと、内容物を第三者に取られたり、外部に落下させてしまう恐れがあった。
そこで、ファスナーに何らかの停止機能を設け、簡単に開いてしまうことを防止する技術が開発されている。ファスナーに停止機能を備えた技術として、以下の特許文献をあげることができる。
【特許文献１】特開２００６−５５４４３５
【０００３】
特許文献１には、通常タイプのスライドファスナーに停止爪を有する爪体を引手の起伏操作により、エレメントの反発力を利用して、ロック機構を働かせる停止機構付きスライドファスナー用スライダーが開示されている。
【発明の開示】
【発明が解決しようとする課題】
【０００４】
特許文献１記載の技術のように、ファスナーの停止機構には、爪体を用いて停止させるだけのものが一般的であった。
一方で、例えば、ハンドバックやボストンバックを使用するとき、開口部が簡単に開いてしまい、内部の物が見えてしまったり、落下してしまうことがあるのが実情である。
そこで、本発明の目的は、スライダーまたは止め部に互いに接合する接合部材を設けることで、簡単に接合、開放が可能で、且つ一定の強度をもってスライダーを接合したり、固定したりすることができるファスナーを提供することである。
【課題を解決するための手段】
【０００５】
請求項１記載の発明では、スライダーと、上止め部と下止め部とからなり、スライダーを上止め部と下止め部間で動かすことにより開閉するクローズタイプのファスナーにおいて、ファスナーを閉じた際、上止め部のスライダー頭部と接触する面と、前記スライダー頭部の前記止め部と接触する面とに、両者が接触したとき互いに接合する接合部材を各々に設けたことにより、前記目的を達成する。
請求項２記載の発明では、ひとつのクローズタイプまたはオープンのファスナーに、頭部同士の向き合う形で２つのスライダーが配置されているタイプのファスナーにおいて、２つのスライダーの頭部が互いに接合するための接合部材を各々に設け、接合できることにより、前記目的を達成する。
請求項３記載の発明では、ひとつのクローズタイプまたはオープンのファスナーに、請求項２に記載のスライダーとは逆向きの２つのスライダーが設けられているタイプのファスナーにおいて、各スライダーの一方を上止め部に、他のスライダーを下止め部に接触させたとき、閉じた状態となるファスナーであって、前記上止め部と一方のスライダー頭部と、前記下止め部と他のスライダー頭部が接触する両面に両者が接触したとき互いに接合する接合部材を各々に設け、接合できることにより、前記目的を達成する。
【０００６】
請求項４記載の発明では、クローズタイプまたはオープンタイプのファスナーにおいて、このファスナーを一周回転させて設置することが可能であり、当該ファスナーのスライダーを一周させて、スライダー頭部が下止め部の下側にきた際、前記下止め部のスライダー頭部と接触する面と、前記スライダー頭部の前記下止め部と接触する面とに、両者が接触したとき互いに接合する接合部材を各々に設けたことにより、前記目的を達成する。
【０００７】
請求項５記載の発明では、請求項１、請求項２、請求項３または請求項４記載の発明において、接合部材が、オープンタイプとクローズタイプの各々の上止めタイプと下止めタイプに、前記４タイプの各々の、接合部材の向きが上向きタイプと下向きタイプに、前記８タイプの各々にオス部またはメス部を設けられた１６タイプがあり、前記ひとつのファスナーに２つのスライダーが設けられているタイプでは、請求項２記載のスライダーの頭部同士が接触する面の一方にオス部、他方にメス部が設けられるタイプと、請求項３記載の請求項２に記載のスライダーとは逆向きの２つのスライダーが設けられているタイプのファスナーで、各頭部と上止め部および下止め部とが接触する面のスライダー側にオス部、上止め部および下止め部にメス部が設けられているタイプの４タイプがあることにより、前記目的を達成する。
請求項６記載の発明では、請求項１、請求項２、請求項３または請求項４記載の発明において、前記接合部材が、互いに接合する面ファスナーからなることにより、前記目的を達成する。
【発明の効果】
【０００８】
本発明によれば、ファスナーを閉じたとき、一定の強度をもってスライダーを接合したり、固定したりすることで、ファスナーが簡単に開いていしまうことを防止できる。このような部材を例えばバックの開口やスラックスのファスナーに設ければ、何らかの事情でうっかりファスナーが開いてしまうことを防止できる。例えば、満員電車内でのスリの被害を未然に防ぐことができる。
【発明を実施するための最良の形態】
【０００９】
以下、本発明の好適な実施の形態を図１ないし図６を参照して、詳細に説明する。
図１は、本発明の第１の実施例に係る上止めクローズタイプのファスナーを説明する図である。
上止めクローズタイプのファスナー１０において、上止め２０にメス部２１、スライダー１２の端部（ファスナーを閉じた際、上止め２０と接触する側）にオス部（爪型）１３を設け、ファスナー１０を閉じた際に、オス部１３と、メス部２１とが互いに接合（ジョイント）するようになっている。
この接合により、ファスナー１０を完全に閉じたときに、スライダー１２を確実に固定でき、簡単に引き手１５を引いただけでは、ファスナー１０がオープンしないようになっている。
なお、この接合の解除は、上止め２０の上部に設けた孔２２でオス部１３の爪を押下することで解除できる。また、オス部１３と共動するスライダー１２の表面に設けた押下部（解除レバー）１３１を押下することで、行うようにしてもよい。
この例では、スライダー１２側にオス部１３、上止め２０側にメス部２１を設けたが、これとは、逆に、スライダー１２側にメス部２１、上止め側にオス部１３を設けるようにしてもよい。
【００１０】
次に、本発明の第２の実施例を説明する。
図２は、ひとつのファスナーに、２つのスライダーが設けられているタイプのファスナーの例を示した図である。
このタイプのファスナー５０を例えば、バックの開口部に用いると、スライダーを任意の位置で接触させて、開口部を閉じることができる。この例では、スライダー５２の一方の端部（スライダーの頭部が他のスライダーと接触する側）にオス部５３、他のスライダー５４の端部（他のスライダーの頭部と接触する側）にメス部５５を設けてあり、ファスナー５０を閉じた状態のときに、オス部５３とメス部５５が接合し、両者をきっちりと接合する。
すなわち、２つのスライダー５２，５４の頭部に互いに接合するための接合部材が設けられており、これにより両者を固定するようになっている。
この接合の解除は、スライダー５４の上部に設けた孔５４１でオス部５３の爪を押下することで解除するようにしてもよいし、オス部５３を設けた側のスライダー５２の表面に設けた押下部（解除レバー）５２１を押下することで、行うことができるようにしてもよい。
この実施例を例えば、バックの開口部に適用すれば、２つのスライダーを任意の位置で接合でき、誤って開口部が開いたり、第三者によって、簡単に開かれることを防止できる。
なお、この実施例では、スライダー同士は接合されるが、接合された状態でスライダーをスライドさせることは、可能である。
【００１１】
図３は、ひとつのファスナーに、２つのスライダーが設けられているタイプのファスナーの他の例を示した図である。このファスナー３０では、スライダー３４を上止め部３１側へ、スライダー３６を下止め部３８へスライドさせることで、口を閉じるようになっている。
この例では、スライダー３４が、上止め部３１と接触した際、オス部３５とメス部３３が接合し、一方スライダー３６が、下止め部３８と接触した際、オス部３７とメス部３９が接合し、両者をきっちりと接合する。
このファスナー３０を全開とするには、スライダー３４およびスライダー３６両方を上止め部３１側または下止め部３８側へ移動させることにより行う。
なお、孔３２および孔４０は、接合を解除する際、オス部３５、３７を押下するためのものである。
【００１２】
次に、本発明の第３の実施例を説明する。
図４は、開製品と呼ばれるオープンタイプのファスナーに本発明を適用する例を示した図である。オープンタイプとは、例えば、衣服の前合わせに用いるファスナーであり、ファスナーの左右が完全分離するタイプのファスナーである。
このオープンタイプのファスナー６０は、ファスナー６０の一方に蝶棒６２、対向する側に箱６４およびエレメント６１上をスライド可能に取り付けられたスライダー６８が設けられている。このスライダー６８には、引き手６８１が設けられている。
このスライダー６８の開放側側面に蝶棒６２を嵌め込むための溝が設けられており、そして、このスライダー６８を下端部が、箱６４と接する位置にセットして、反対側のファスナーの蝶棒６２を溝および箱６４に差し込むことで、ファスナーの閉じ動作が可能となる。
この箱６４の下部には、接合部７０が設けられており、この接合部７０には、メス部７２および接合を解除する際に利用する孔７４が設けられている。
一方、スライダー６８には、前記接合部７０のメス部７２と接合するオス部６９が設けられている。
そして、この図に示すファスナー６０をサークル状に設置することで、周回の最後の所でオス部６９とメス部７２がきっちりと接合して、一定の強度で固定できるようになっている。
【００１３】
図５は、この止め製品と呼ばれるクローズタイプのファスナー９０の下止め９２にメス部９４および孔９６を設けた例を示した図である。図３に示したファスナー９０と同様にサークル状に設置することで、周回の最後の所でスライダーに設けたオス部とメス部９４がきっちりと接合して、一定の強度で固定できるようになっている。
【００１４】
図６は、図４に示すオープンタイプのファスナーを一周させて使用するサークルタイプの製品に応用した例を示した図である。
この図に示すように、接合部７０にメス部７２が設けてあり、一方、スライダー６８の先端側にオス部６９を設けてある。そして、スライダー６８を一周回してファスナーを完全に閉じたとき、接合部７０のメス部７２とスライダー６８のオス部６９とがカッチと接合し、固定する。これにより、例えば、サークルタイプのファスナーを用いたバックにおいて、開口部がユーザーの意図に反して簡単に開いてしまうことを防止することができる。
【００１５】
なお、接合の解除は、接合部７０に設けた孔７４を押下することにより行ってもよいし、オス部６９と共動するスライダー６８の表面に設けた押下部（解除レバー）６７を押下することで、行うようにしてもよい。
この実施例では、接合部７０にメス部７２、スライダー６８の先端にオス部６９を設けた例を説明したが、これとは逆に、接合部７０にオス部６９、スライダー６８の先端にメス部７２を設けてこれらを接合するようにしてもよい。
なお、図６は、オープンタイプのファスナーを例に説明したが、これに限定されることはなく、クローズタイプのファスナーにも適用することができる。
【００１６】
以上の例は、ファスナーの開口部の固定をオス部とメス部を接合させる方式で行う例で説明したが、これに限定されることはなく、例えば、両接触面に面ファスナーを設けておき、この面ファスナーの接合力で固定するようにしてもよい。
また、接合の解除がより困難なファスナーを製造するには、解除機能をより複雑化したものを用いればよい。
なお、本実施例において、ファスナーの素材に特に限定はない。金属ファスナーにも樹脂ファスナーにも適用することができる。
【図面の簡単な説明】
【００１７】
【図１】本発明の第１の実施例に係る上止めクローズタイプのファスナーを説明する図である。
【図２】ひとつのファスナーに、２つのスライダーが設けられているタイプのファスナーの例を示した図である。
【図３】ひとつのファスナーに、２つのスライダーが設けられているタイプのファスナーの他の例を示した図である。
【図４】オープンタイプのファスナーに、本発明を適用した例を示した図である。
【図５】クローズタイプのファスナーの下止めにオス部を接合させるメス部を設けた例を示した図である。
【図６】サークルタイプの製品に本発明を適用した例を説明する図である。
【図７】従来の一般的なファスナーを説明する図である。
【符号の説明】
【００１８】
１０  上止めクローズタイプのファスナー
１２  スライダー
１３  オス部
２０  上止め
２１  メス部
３１  上止め
３３  メス部
３５  オス部
３６  スライダー
３７  オス部
３８  下止め部
５０  ファスナー
５２  スライダー
５３  オス部
５４  スライダー
５５  メス部
６０  オープンタイプのファスナー
６２  蝶棒
６４  箱
６８  スライダー
６９  オス部
７０  接合部
７２  メス部
９０  クローズタイプのファスナー
９２  下止め
９４  メス部
９６  孔
【図１】
2008161543.tif 000003
【図２】
2008161543.tif 000004
【図３】
2008161543.tif 000005
【図４】
2008161543.tif 000006
【図５】
2008161543.tif 000007
【図６】
2008161543.tif 000008
【図７】
2008161543.tif 000009